【事件の表示】
　平成　２年特許願第１１７３９５号「弾球遊技機」拒絶査定に対する審判事件［平成　４年　１月２０日出願公開、特開平　４−　１５０７２］について、次のとおり審決する。
【結　論】
　本件審判の請求は、成り立たない。
【理　由】
１．手続の経緯、本願発明の要旨
　本願は、平成２年５月７日の出願であって、その発明の要旨は、平成１２年１１月２７日付の手続補正書により補正された明細書及び図面の記載からみて、その特許請求の範囲の請求項１に記載された次のとおりのものである。
　「打玉が入賞可能な入賞領域と、該入賞領域の上部に打玉の入賞を阻止する障害部材と、を取付基板上に一体的に形成した入賞球装置が遊技盤の遊技領域に配置された弾球遊技機において、
　前記障害部材は、その上部に入賞口が形成された上部障害部材と下部障害部材とに分割され、その上部障害部材と下部障害部材との間を打玉が左右の遊技領域に通過可能な連通部として形成されていることを特徴とする弾球遊技機。」（以下、「本願発明」という。）
　　　　　　　
２．引用例に記載の発明　
　i．原査定の拒絶理由である、実願昭５９−７５８８９号（実開昭６０−１８７７８２号）のマイクロフィルム（以下、「引用例」という。）には、以下の事項が記載されている。
　「パチンコ機１は、第１図に示すように、額縁状前面枠２の窓部を裏側から塞ぐようにして設けた遊技盤３の表面にガイドレール４で囲まれた遊技部５を形成し、該遊技部５内に無数の障害釘（図示せず）を植設するとともに、特別入賞口６、打球入賞装置７などを設けてある。上記打球入賞装置７は、開口部８を開設した基板９の裏側に前面開放状のケース１０を有し、基板９の表面には庇部１１を開口部８の上縁に突設すると共に、開口部８の左右には打球を受け止める左右一対の変動球受部材１２、１２を設けてある。図面の実施例によれば、変動球受部材１２は飛行機の翼に似せた板材であって表面に長さ方向の浅い溝部１３を有し、開口部８の左右側縁近くの基板９に夫々回動軸１４により回動可能に取り付けてある。回動軸１４は、ケース１ ０の側部に形成してある筒部１５内に挿通され、該筒部１５から突出する後端に取り付けた連動部材１６を介して電磁ソレノイド等の電気的駆動源１７に接続してある。図面の実施例で示す連動部材１６は、回動軸１４に固定する基部１８と、該基部１８から横方向に延出した押圧片１９と、基部１８を中心としてほゞ９０度変位した位置に基部１８から延出した掬い上げ片２０と、該掬い上げ片２０の途中から後向きに突出するピン２１とからなり、該ピン２１と電気的駆動源１７とを接続してある。したがつて、変動球受部材１２は、電気的駆動源１７を作動しない状態においては電気的駆動源１７の復帰用スプリング１７’がピン２１を下方に付勢することと、変動球受部材１ ２自体の自重とにより、第６図に示すように、一端１２’を垂下した直立状に静止し、打球を受け止めない第１状態となる。そして、電気的駆動源１７を作動すると、ピン２１が上昇しながら連動部材１６を第６図の矢印Ａ方向にほゞ９０度回動する。運動部材１６が回動すると、変動球受部材１２は連動部材１６と一体的に回動し、第７図に示す様に、垂下していた端部１２’を飛行機２２の機首２２’に当接して横方向に静止し、打球を受け止め易い第２状態に変換する。」（第４頁第８行〜第６頁第７行）、
　「ケース１０は、上面部１０ａ、左右側面部１０ｂ 、１０ｂ、後面部１０ｃ、及び前方に向つて下り傾斜する底面部１０ｄとからなり、底面部１０ｄの傾斜下端には打球を遊技盤３の裏側に排出する球出口１０ｅを開設してある。そしてこのケース１０の内部には機首２２’が開口部８から突出するようにして飛行機２２を装飾部材として設け、該飛行機２２の左右の主翼上面に浅い溝状の球通路２４、２４を夫々前後方向に形成する。」（第６頁第１３行〜第７頁第１行）、
　「例えば、第１図に示すパチンコ機１においては、打球が特別入賞口６に入ることを条件として、打球入賞装置７が第１状態から第２状態に変換するようにしてある。打球が特別入賞口６に入ると、該特別入賞口６から延設した球通路の途中に臨ませた球検出器３０が打球を検出して電気的制御装置３１に特別入賞信号を伝送する。電気的制御装置３１は、特別入賞信号を受けると電気的駆動源１７を所定時間（例えば１８秒間）だけ作動し、打球入賞装置７を第１状態から第２状態に変換する。打球入賞装置７が第２状態に変換すると、多数の打球が変動球受部材１２、１２上に流下するので、球通路２４、２４及び変動球受部材１２、１２上に打球が留まる。そして、所定時間が経過すると電気的駆動源１７、１７が消磁するので、球通路２４、２４上の打球は入賞球として遊技盤３の裏側に取り込まれ、変動球受部材１２、１２上の打球は遊技盤面上に戻される。」（第１０頁第１１行〜第１１頁第１０行）。
　ii．これらの記載及び図面第１乃至９図によれば、引用例には、以下の発明が記載されているものと認められる。
　「ケース１０により形成される打玉が入賞可能な開口部８と、該開口部８の上部に打玉の入賞を阻止する庇部１１と、を基板９上に一体的に形成した打球入賞装置７と、前記庇部１１の上方に位置して前記打球入賞装置７と別体の特別入賞口部材とが遊技盤３の遊技領域に配置されたパチンコ機において、
　その上部に特別入賞口６が形成された前記特別入賞口部材と、前記庇部１１との間を打玉が左右の遊技領域に通過可能な連通部として形成されているパチンコ機。」（以下、「引用発明」という。）  
　　　　　　　　
３．本願発明と引用発明との対比検討
　（１）本願発明と引用発明との対比
　本願発明と引用発明とを対比すると、引用発明における、「開口部８」、「基板９」、「打球入賞装置７」、「庇部１１」、「その上部に特別入賞口６が形成された特別入賞口部材」、「パチンコ機」は、それぞれ、本願発明における、「入賞領域」、「取付基板」、「入賞球装置」、「入賞領域の上部に形成した打玉の入賞を阻止する下部障害部材」、「その上部に入賞口が形成された上部障害部材」、「弾球遊技機」に相当する。
　また、引用発明における、「庇部１１」と「特別入賞口部材」とからなる部材は、本願発明における、「下部障害部材」と「上部障害部材」からなる部材と対比して、いずれも入賞領域の上方に位置して該入賞領域への打玉の入賞を阻止するとともに、前記両部材の間を打玉が左右の遊技領域に通過可能な連通部として形成されている障害部材として機能することにおいて一致する。
　そうすると、本願発明と引用発明とは、以下の点でそれぞれ、一致ならびに相違する。
　一致点．「打玉が入賞可能な入賞領域と、該入賞領域の上部に打玉の入賞を阻止する下部障害部材と、を取付基板上に一体的に形成した入賞球装置と、前記下部障害部材の上方に位置して該入賞領域への打玉の入賞を阻止する上部障害部材とが遊技盤の遊技領域に配置された弾球遊技機において、
　障害部材は、その上部に入賞口が形成された前記上部障害部材と前記下部障害部材とからなり、前記上部障害部材と前記下部障害部材との間を打玉が左右の遊技領域に通過可能な連通部として形成されていることを特徴とする弾球遊技機。」
　相違点．上部障害部材と下部障害部材との間を打玉が左右の遊技領域に通過可能な連通部として形成されている障害部材が、本願発明では、入賞球装置として取付基板上に入賞領域と一体的に形成される構成であるのに対し、引用発明では、下部障害部材が入賞球装置として一体的に形成されるが、上部障害部材が入賞球装置とは別体に形成される構成である点。
　　　　
　（２）相違点の検討
　i．弾球遊技機の技術分野において、入賞領域への打玉の入賞を阻止するとともに、その下方を打玉が左右の遊技領域に通過可能な連通部として形成される障害部材として機能するような入賞口部材が、その最上部に一体的に形成される入賞球装置は周知技術（例えば、特開昭６３−１０９８８６号公報、特開平１−３０３１７０号公報）である。
　ii．そうすると、引用発明に示される、入賞球装置とは別体に形成され、その上部に入賞口が形成されている上部障害部材について、下部障害部材との間を打玉の連通部として形成する構成を維持しつつ、前記周知技術に示される、障害部材として機能するような入賞口部材が入賞球装置として一体的に形成される構成を採用して、相違点にかかる本願発明の構成にすることは、当業者が容易に想到できるものと認められる。
　iii．そして、本願発明の障害部材の構成によって、打玉が連通部を通って左側の遊技領域から右側の遊技領域へ移動することが可能となるため、右側の遊技領域に配置される入賞口や入賞領域への入賞可能性が高まり、遊技の興趣を盛り上げることができるという作用効果が奏されることは、引用発明に前記周知技術を適用したものにおいて、当業者が当然予測できると認められる。
         
４．むすび
　以上のとおり、本願請求項１の発明は、引用例に記載の発明（引用発明）に基づいて当業者が容易に発明をすることができたものと認められるので、特許法第２９条第２項の規定により特許を受けることができない。
　よって、結論のとおり審決する。